(57)【要約】【課題】作業者が点灯させたい場合のみタスク灯を点灯させることができ、かつ、タスク灯の消し忘れを確実に防止する。【解決手段】机１の上面を照明するタスク灯４と、各机１ごとに設けられて机１の上で作業を行う作業者が携帯するＩＤカード５を検知するカードリーダ３と、ＩＤカード５がセットされたことを検知した検知信号をカードリーダ３から受信することによりタスク灯４を点灯させ、ＩＤカード５がカードリーダ３から取り外されたことを検知した検知信号をカードリーダ３から受信することによりタスク灯４を消灯させる制御手段２とを有する。これにより、作業者の意に反してタスク灯４が点灯することを防止でき、また、作業終了後のタスク灯４の消し忘れを確実に防止でき、省エネを達成できる。【選択図】    図１
2004265648.tif 000002
【特許請求の範囲】
【請求項１】
机の上面を照明するタスク灯と；
前記各机ごとに設けられ、前記机の上で作業を行う作業者が携帯するＩＤカードを検知するカードリーダと；
前記ＩＤカードがセットされたことを検知した検知信号を前記カードリーダから受信することにより前記タスク灯を点灯させ、前記ＩＤカードが前記カードリーダから取り外されたことを検知した検知信号を前記カードリーダから受信することにより前記タスク灯を消灯させる制御手段と；
を具備することを特徴とするタスク照明装置。
【請求項２】
アンビエント照明用の主照明灯により照明される空間内に配置される机の上面を照明するタスク灯と；
前記各机ごとに設けられ、前記机の上で作業を行う作業者が携帯するＩＤカードを検知するカードリーダと；
前記ＩＤカードがセットされたことを検知した検知信号を前記カードリーダから受信することにより前記タスク灯を点灯させ、前記ＩＤカードが前記カードリーダから取り外されたことを検知した検知信号を前記カードリーダから受信することにより前記タスク灯を消灯させる制御手段と；
を具備することを特徴とするタスク照明装置。
【請求項３】
前記カードリーダは、前記ＩＤカードに書き込まれているＩＤ番号を読み取る読取手段を有し、
前記制御手段は、ＩＤ番号とＩＤ番号に応じた前記タスク灯の点灯パターンとを定めた点灯制御データを格納したデータテーブルを有し、前記カードリーダから送信されたＩＤ番号と同じＩＤ番号をもつ点灯制御データの点灯パターンで前記タスク灯を点灯させることを特徴とする請求項１又は２記載のタスク照明装置。
【請求項４】
前記カードリーダは、前記ＩＤカードに書き込まれているＩＤ番号を読み取る読取手段を有し、
前記制御手段は、ＩＤ番号とＩＤ番号に応じた前記タスク灯の点灯パターンとを定めた点灯制御データを格納したデータテーブルを有するデータベースに接続され、前記カードリーダから送信されたＩＤ番号と同じＩＤ番号をもつ点灯制御データの点灯パターンで前記タスク灯を点灯させることを特徴とする請求項１又は２記載のタスク照明装置。
【請求項５】
前記タスク灯は、複数のＬＥＤからなることを特徴とする請求項１ないし４のいずれか一記載のタスク照明装置。
【発明の詳細な説明】
【０００１】
【発明の属する技術分野】本発明は、タスク照明装置に関する。
【０００２】
【従来の技術】従来、各種作業を行う机の上面を照明するタスク灯を各机ごとに設け、作業時に各作業者が必要に応じてそのタスク灯を点灯させるようにした照明装置が広く普及している。このような照明装置では、タスク灯の消し忘れを防止して省エネを図るという観点から、人感センサで検知した場合にのみ点灯し、又は、タイマで設定した時間だけ点灯するようにしたものが知られている（特許文献１、２参照）。
【０００３】
また、タスク・アンビエント照明と呼ばれる照明方式が知られている（例えば、特許文献３参照）。このタスク・アンビエント照明方式は、室内に設けられた各机ごとにその机の上面を照明するタスク灯を設け、さらに、室内全体を比較的低照度で照明する主照明灯を設け、作業時には、主照明灯と作業を行う机の上面を照明するタスク灯とを点灯し、作業を行っていない机の上面を照明するタスク灯を消灯させることにより、室内全体での消費電力を削減して省エネを図るものである。
【０００４】
【特許文献１】
特開２００１−９８７７２公報
【特許文献２】
特開平５−１５２０７８号公報
【特許文献３】
特開平１１−２８３７５４号公報
【０００５】
【発明が解決しようとする課題】しかし、特許文献１に記載された人感センサを用いた照明装置では、机での作業を行わない人が机の近くを通り過ぎたり机の近傍に人が集まった場合等に人感センサに検知されてタスク灯が点灯する場合があり、省エネという目的に反する場合もある。
【０００６】
特許文献２に記載されたタイマを用いる照明装置では、タイマで設定した時間内に作業者が照明装置から離れる場合があり、そのような場合でも照明装置は設定した時間内は点灯状態を継続されるため、省エネという目的に反する場合もある。
【０００７】
特許文献３に記載された照明装置では、作業終了後にタスク灯を消し忘れるということに対する対策はとられておらず、省エネという目的に反する場合がある。
【０００８】
また、上記各文献に記載された発明においては、タスク灯の点灯は全ての作業者に対して同じように行われるので、各作業者が個々に希望する照明パターン、例えば、照度の高低、照明範囲の広狭等に応じることはできない。
【０００９】
本発明の目的は、作業者が点灯させたい場合のみタスク灯を点灯させることができ、かつ、タスク灯の消し忘れを確実に防止できるタスク照明装置を提供することである。
【００１０】
本発明の別の目的は、個々の作業者ごとにその作業者が希望する点灯パターンにタスク灯を点灯させることができるタスク照明装置を提供することである。
【００１１】
【課題を解決するための手段】請求項１記載の発明のタスク照明装置は、机の上面を照明するタスク灯と；前記各机ごとに設けられ、前記机の上で作業を行う作業者が携帯するＩＤカードを検知するカードリーダと；前記ＩＤカードがセットされたことを検知した検知信号を前記カードリーダから受信することにより前記タスク灯を点灯させ、前記ＩＤカードが前記カードリーダから取り外されたことを検知した検知信号を前記カードリーダから受信することにより前記タスク灯を消灯させる制御手段と；を具備することを特徴とする。
【００１２】
したがって、机の上で作業を行う作業者が携帯しているＩＤカードをカードリーダの読取位置にセットし、ＩＤカードがセットされたことを検知した検知信号を制御手段が受信すると、制御手段によりタスク灯が点灯される。このため、ＩＤカードをカードリーダにセットしない限りタスク灯は点灯されず、作業者の意に反してタスク灯が点灯するということが起こらない。また、ＩＤカードがカードリーダの読取位置から取り外され、それを検知した検知信号を制御手段が受信すると、制御手段によりタスク灯は消灯される。ＩＤカードは各作業者が場所を移動する場合には必ず携帯するものであり、机の上での作業が終了した作業者がその机を離れる場合にＩＤカードを忘れるということはないので、作業終了後のタスク灯の消し忘れが確実に防止される。
【００１３】
ここで、本発明及び以下の各発明において、「制御手段」とは、ＩＤカードがカードリーダにセットされたことを検知した検知信号を受信し、その受信結果に応じてタスク灯を点灯させる機能と、ＩＤカードがカードリーダから取り外されたことを検知した検知信号を受信し、その受信結果に応じてタスク灯を消灯させる機能とを有するものであればよく、例えば、パソコンや、専用のタスク灯コントローラ等が挙げられる。
【００１４】
請求項２記載の発明のタスク照明装置は、アンビエント照明用の主照明灯により照明される空間内に配置された机の上面を照明するタスク灯と；前記各机ごとに設けられ、前記机の上で作業を行う作業者が携帯するＩＤカードを検知するカードリーダと；前記ＩＤカードがセットされたことを検知した検知信号を前記カードリーダから受信することにより前記タスク灯を点灯させ、前記ＩＤカードが前記カードリーダから取り外されたことを検知した検知信号を前記カードリーダから受信することにより前記タスク灯を消灯させる制御手段と；を具備することを特徴とする。
【００１５】
したがって、本発明も請求項１記載の発明と同じように、机の上で作業を行う作業者が携帯しているＩＤカードをカードリーダの読取位置にセットし、ＩＤカードがセットされたことを検知した検知信号を制御手段が受信すると、制御手段によりタスク灯が点灯される。このため、ＩＤカードをカードリーダにセットしない限りタスク灯は点灯されず、作業者の意に反してタスク灯が点灯するということが起こらない。また、ＩＤカードがカードリーダの読取位置から取り外され、それを検知した検知信号を制御手段が受信すると、制御手段によりタスク灯は消灯される。ＩＤカードは各作業者が場所を移動する場合には必ず携帯するものであり、机の上での作業が終了した作業者がその机を離れる場合にＩＤカードを忘れるということはないので、作業終了後のタスク灯の消し忘れが確実に防止される。さらに本発明のタスク照明装置は、タスク灯で照明される机をアンビエント照明用の主照明灯で照明される空間内に設置することにより室内全体での消費電力を削減して省エネを図ろうとするものであり、タスク灯の消し忘れを防止することにより省エネをより効果的に実現することが可能となる。
【００１６】
請求項３記載の発明は、請求項１又は２記載のタスク照明装置において、前記カードリーダは、前記ＩＤカードに書き込まれているＩＤ番号を読み取る読取手段を有し、前記制御手段は、ＩＤ番号とＩＤ番号に応じた前記タスク灯の点灯パターンとを定めた点灯制御データを格納したデータテーブルを有し、前記カードリーダから送信されたＩＤ番号と同じＩＤ番号をもつ点灯制御データの点灯パターンで前記タスク灯を点灯させることを特徴とする。
【００１７】
したがって、カードリーダでＩＤカードに書き込まれているＩＤ番号が読み取られ、そのＩＤ番号が制御手段に送信されると、制御手段は、送信されたＩＤ番号と同じＩＤ番号をもつ点灯制御データをデータテーブル中から呼び出し、その点灯制御データの点灯制御データの点灯パターンに従ってタスク灯を点灯させる。これにより、各作業者ごとに予め設定された点灯パターンでタスク灯が点灯される。
【００１８】
本発明及び以下の各発明において、「タスク灯の点灯パターン」とは、タスク灯の点灯領域、照度の高低等を意味する。
【００１９】
請求項４記載の発明は、請求項１又は２記載のタスク照明装置において、前記カードリーダは、前記ＩＤカードに書き込まれているＩＤ番号を読み取る読取手段を有し、前記制御手段は、ＩＤ番号とＩＤ番号に応じた前記タスク灯の点灯パターンとを定めた点灯制御データを格納したデータテーブルを有するデータベースに接続され、前記カードリーダから送信されたＩＤ番号と同じＩＤ番号をもつ点灯制御データの点灯パターンで前記タスク灯を点灯させることを特徴とする。
【００２０】
したがって、カードリーダでＩＤカードに書き込まれているＩＤ番号が読み取られ、そのＩＤ番号が制御手段に送信されると、制御手段は、送信されたＩＤ番号と同じＩＤ番号をもつ点灯制御データをデータベースのデータテーブルから呼び出し、その点灯制御データの点灯パターンに従ってタスク灯を点灯させる。これにより、各作業者ごとに予め設定された点灯パターンでタスク灯が点灯される。このデータテーブルは制御手段が接続されているデータベースに設けられているので、作業者がどの机の上で作業する場合でも、その机に設けられているカードリーダでＩＤカードのＩＤ番号を読み取ることにより、各机に設けられている制御手段により各作業者に応じた点灯パターンでタスク灯が点灯される。
【００２１】
請求項５記載の発明は、請求項１ないし４のタスク照明装置において、前記タスク灯は、複数のＬＥＤからなることを特徴とする。
【００２２】
したがって、ＬＥＤは消費電力が少ないので省エネ効果が高くなる。また、各作業者に応じた点灯パターンを設定する場合、複数のＬＥＤから構成されたタスク灯は、点灯パターンの設定が容易になる。
【００２３】
【発明の実施の形態】本発明の第一の実施の形態を図１ないし図５に基づいて説明する。図１はタスク照明装置の全体構成を示す概略図、図２はタスク灯の照明部を示す平面図、図３はタスク照明装置の電気的接続を示すブロック図、図４はデータテーブルの説明図、図５はタスク灯の点灯・消灯制御について説明するフローチャートである。
【００２４】
作業用の机１の上には、制御手段であるパソコン２、カードリーダ３、タスク灯４が設置されている。この机１は、アンビエント照明用の主照明灯（図示せず）により照明される室内空間に配置されて使用される。
【００２５】
カードリーダ３は、各作業者が携帯するＩＤカード５が読取位置にセットされたときにそのＩＤカード５を読み取る機能を有し、無線信号を発するアンテナ、ＩＤカード５に対してデータを送るための変調回路、ＩＤカード５から受信した信号を復調する復調回路等により、ＩＤカード５に書き込まれている各作業者を特定するＩＤ番号を読み取る読取手段が形成されている。ＩＤカード５は、ＩＤ番号等が書き込まれたＩＣチップとコイルアンテナとを備えたカードであり、カードリーダ３のアンテナから発信されている無線信号の範囲内にＩＤカード５がセットされることによりＩＣチップへの電力供給が行われ、ＩＣチップに書き込まれているＩＤ番号がカードリーダ３へ送信される。また、ＩＤカード５がカードリーダ３のセットされている間は、ＩＣチップからの信号がカードリーダ３に送信されることによりＩＤカード５がセットされていることを検知でき、ＩＤカード５がカードリーダ３のセット位置から取り外された場合には、ＩＣチップからの信号がカードリーダ３に送信されなくなるのでＩＤカード５がカードリーダ３から取り外されたことを検知できる。
【００２６】
タスク灯４は、一端を机１に固定されたアーム４ａと、アーム４ａの他端に取り付けられた照明部４ｂとから構成され、照明部４ｂは複数のＬＥＤ４ｃをマトリクス状に配列することにより形成されている。複数のＬＥＤ４ｃは、例えば、９つの領域（Ａ〜Ｉ）に分けられ、各領域ごとに点灯、消灯を制御できるように構成されている。
【００２７】
図３のブロック図に示すように、パソコン２は、ＣＰＵ６、ＲＯＭ７、ＲＡＭ８により構成されており、このパソコン２に対し、カードリーダ３、タスク灯４、表示部９、キーボード１０、マウス１１、ＨＤＤ１２が接続されている。
【００２８】
ＨＤＤ１２内には、図４に示すように、各作業者を特定するＩＤ番号とそのＩＤ番号に応じたタスク灯４の点灯パターンとを定めた点灯制御データを格納したデータテーブル１３が設けられている。このデータテーブル１３の作成作業は、キーボード１０やマウス１１を用いて行うパソコン２での入力操作により行われる。また、別のパソコンなどで作成したデータをＦＤなどに記憶させ、そのＦＤからＨＤＤ１２に記憶させることもできる。図４に示したデータテーブル１３では、点灯パターンとしてＡ〜Ｉの点灯領域を指定した場合を例に挙げて示したが、Ａ〜Ｉのそれぞれの点灯領域についてその照度も加えて設定することもできる。
【００２９】
タスク灯４の点灯・消灯制御は図５のフローチャートに示すように行われる。即ち、作業者が携帯しているＩＤカード５がカードリーダ３の読取位置にセットされることによりそのＩＤカード５の読み取りが行われ、読み取られたＩＤ番号がパソコン２に入力され（ステップＳ１）、ここに、ＩＤカード５がカードリーダ３にセットされたことを検知した検知信号のパソコン２での受信が行われる。ＩＤ番号が入力されると、同じＩＤ番号を有する点灯制御データがデータテーブル１３内に有るか否かが検索される（ステップＳ２）。
【００３０】
データテーブル１３内に同じＩＤ番号を有する点灯制御データが有った場合には、その点灯制御データが呼び出され（ステップＳ３）、その点灯制御データがＲＡＭ８内で展開されることによりタスク灯４の点灯用データが作成され（ステップＳ４）、タスク灯４が点灯される（ステップＳ５）。このときのタスク灯４の点灯は、データテーブル１３に格納されている点灯制御データの点灯パターンに従って行われるので、各作業者にとって予め設定してある最適な照明状態を得ることができ、良好な照明環境下で作業することができるようになる。
【００３１】
ステップＳ２の検索で、カードリーダ３で読み取ったＩＤ番号と同じＩＤ番号を有する点灯制御データが見つからなかった場合には（ステップＳ２のＮ）、ＩＤ番号が見つからない場合に対応して予め設定されている点灯制御データ（標準的な点灯制御データ）が呼び出され（ステップＳ６）、その点灯制御データをＲＡＭ８内で展開することによりタスク灯４の点灯用データが作成され（ステップＳ７）、タスク灯４が点灯される（ステップＳ８）。
【００３２】
ＩＤカード５がカードリーダ３の読取位置にセットされた後は、ＩＤカード５が引き続き読取位置にセットされている否かが判断される（ステップＳ９）。ＩＤカード５が引き続き読取位置にセットされている場合には、ＩＣチップからの信号がカードリーダ３に送信されるとともにその旨の信号がカードリーダ３からパソコン２に送信されることにより、ＩＤカード５が引き続き読取位置にセットされていることが検知される。一方、ＩＤカード５が読取位置から取り外された場合には、ＩＣチップからの信号がカードリーダ３に送信されなくなるとともにその旨の信号がカードリーダ３からパソコン２に送信されるので、ここに、パソコン２はＩＤカード５がカードリーダ３から取り外されたことを検知した検知信号をカードリーダ３から受信したことになり、タスク灯４が消灯される（ステップＳ１０）。
【００３３】
このような構成において、このタスク照明装置によれば、机１の上で作業を行う作業者が携帯しているＩＤカード５がカードリーダ３の読取位置にセットされることによりタスク灯４が点灯され、ＩＤカード５がカードリーダ３の読取位置から取り外されることによりタスク灯４が消灯される。
【００３４】
このため、ＩＤカード５をカードリーダ３の読取位置にセットしてＩＤカード５の読み取り行う前にはタスク灯４は点灯せず、作業者の意に反してタスク灯４が点灯するということは起こらない。
【００３５】
また、ＩＤカード５は各作業者が場所を移動する場合には必ず携帯するものであり、机１の上での作業が終了した作業者がその机１を離れる場合にＩＤカード５を忘れるということはない。このため、作業終了後のタスク灯４の消し忘れを確実に防止でき、省エネの効果が高くなる。
【００３６】
さらに、ＩＤカード５に書き込まれているＩＤ番号を用いて、各作業者ごとに予め設定されている点灯パターンを呼び出してタスク灯４を点灯させることにより、全ての作業者に対して同じような照明を行うのではなく、各作業者ごとに最適な照明を行うことができ、各作業者にとって最適な照明環境を提供することができる。
【００３７】
なお、本実施の形態では、データテーブル１３から呼び出した点灯制御データに基づいて各作業者ごとに点灯パターンを変える場合を例に挙げて説明したが、データテーブル１３を持たずに、単に、カードリーダ３が読取位置にセットされたことの検知信号、カードリーダが読取位置から取り外されたことの検知信号に応じてタスク灯４を点灯、消灯する制御のみを行うものであってもよい。この場合にも、タスク灯４の消し忘れ防止による省エネ効果を十分に高めることができる。
【００３８】
また、本実施の形態では、制御手段としてパソコン２を用いた場合を例に挙げて説明したが、タスク灯４の点灯・消灯を制御する専用のタスク灯コントローラを設け、このタスク灯コントローラにカードリーダ３を接続してもよく、又は、タスク用コントローラとカードリーダ３とを一体化してもよい。
【００３９】
本発明の第二の実施の形態を図６に基づいて説明する。なお、図１ないし図５において説明した部分と同じ部分は同じ符号で示し、説明も省略する。
【００４０】
本実施の形態では、複数のパソコン２がＬＡＮ２１を介してデータベース２２に接続されている。データベース２２には、図４に示したものと同じ構造のデータテーブル２３が設けられており、パソコン２のＨＤＤ１２にはデータテーブル１３が設けられていない。
【００４１】
このような構成において、タスク灯４の点灯・消灯制御の基本的動作は図５に示したフローチャートと同じであり、この図５に示したフローチャートと異なる点は、ＩＤカード５のＩＤ番号がカードリーダ３から送信されてパソコン２に入力されたとき、そのＩＤ番号と同じＩＤ番号を有する点灯制御データがあるか否かを、データベース２２内のデータテーブル２３内で検索する点である。
【００４２】
そして、データベース２２内のデータテーブル２３に同じＩＤ番号を有する点灯制御データがあった場合には、図５に示したステップＳ３〜ステップＳ５と同様の処理が行われ、タスク灯４が点灯される。また、カードリーダ３で読み取ったＩＤ番号と同じＩＤ番号を有する点灯制御データが見つからない場合には、ステップＳ６〜ステップＳ８と同様の処理が行われ、タスク灯４が点灯される。
【００４３】
したがって、本実施の形態のタスク照明装置においても、第一の実施の形態のタスク照明装置と同じように、ＩＤカード５がカードリーダ３の読取位置にセットされることによりタスク灯４が点灯され、ＩＤカード５がカードリーダ３の読取位置から取り外されることによりタスク灯４が消灯される。
【００４４】
このため、ＩＤカード５をカードリーダ３の読取位置にセットする前に作業者の意に反してタスク灯４が点灯するということは起こらず、また、作業終了後のタスク灯４の消し忘れを確実に防止でき、省エネの効果が高くなる。
【００４５】
さらに、ＩＤカード５に書き込まれているＩＤ番号を用いて、各作業者ごとにタスク灯４の点灯パターンを変えることにより、全ての作業者に対して同じような照明を行うのではなく、各作業者ごとに最適な照明を行うことができ、各作業者にとって最適な照明環境を提供することができる。
【００４６】
さらに、各パソコン２がＬＡＮを介してデータベース２２に接続されているので、各パソコン２はデータベース２２内に設けられているデータテーブル２３から、ＩＤカード５に書き込まれているＩＤ番号と同じＩＤ番号を有する点灯制御データを検索することができ、各パソコン２ごとにデータテーブルを作成する手間を省ける。しかも、作業者がどの机１の上で作業する場合でも、その机１に設けられているカードリーダ３でＩＤカード５の読み取りを行うことにより、各作業者ごとに最適な点灯パターンでタスク灯４を点灯させることができる。
【００４７】
なお、本実施の形態では、ＩＤカード５のＩＤ番号がカードリーダ３からパソコン２へ入力されたとき、その都度、パソコン２が入力されたＩＤ番号と同じＩＤ番号を有する点灯制御データをデータベース２２のデータテーブル２３で検索する場合を例に挙げて説明したが、各パソコン２に接続されたＨＤＤ１２に第一の実施の形態と同じようなデータテーブル１３を持たせ、一度データベース２２から呼び出した点灯制御データをＨＤＤ１２内のデータテーブル１３に書き込むようにしてもよい。このようにすれば、点灯制御データの検索が容易になるとともに、データベース２２がダウンした場合でも各作業者に応じた点灯制御データに基づくタスク灯４の点灯制御を行える。
【００４８】
なお、本実施の形態では、机１の上に設置されているカードリーダ３でのＩＤカード５の読取結果に応じてタスク灯４を点灯・消灯させる場合を例に挙げて説明したが、ＬＡＮ２１に出・退勤装置を接続し、その出・退勤装置でＩＤカード５を読み取ったときに、その読取結果の信号を指定されたパソコン２に入力し、タスク灯４を点灯、消灯させるようにしてもよい。但しこの場合には、各作業者が使用する机１、パソコン２等が決まっていることが前提となる。
【００４９】
また、複数のパソコン２をＬＡＮ２１で接続する場合、ＬＡＮ接続用ハブ３１、ＯＡタップ３２が必要になる。このようなＬＡＮ接続用ハブ３１とＯＡタップ３２は、図７に示すように、タスク灯４の基部に一体化することが好ましい。この一体化により、机１の上がすっきりした状態となり、机１の上に十分な作業スペースを確保できる。また、ＬＡＮ接続用ハブ３１が机１の上に位置するため、ネットワークのメンテナンスの作業性が向上する。
【００５０】
【発明の効果】請求項１記載の発明のタスク照明装置によれば、机の上で作業を行う作業者が携帯しているＩＤカードがカードリーダの読取位置にセットされたことを検知した検知信号をカードリーダから制御手段が受信すると、制御手段によりタスク灯が点灯され、及び、ＩＤカードがカードリーダの読取位置から取り外されたことを検知した検知信号をカードリーダから制御手段が受信すると、制御手段によりタスク灯が消灯させるので、作業者の意に反してタスク灯が点灯することを防止でき、また、作業終了後のタスク灯の消し忘れを確実に防止でき、省エネを達成することができる。
【００５１】
請求項２記載の発明のタスク照明装置によれば、机の上で作業を行う作業者が携帯しているＩＤカードがカードリーダの読取位置にセットされたことを検知した検知信号をカードリーダから制御手段が受信すると、制御手段によりタスク灯が点灯され、及び、ＩＤカードがカードリーダの読取位置から取り外されたことを検知した検知信号をカードリーダから制御手段が受信すると、制御手段によりタスク灯が消灯させるので、作業者の意に反してタスク灯が点灯することを防止でき、また、作業終了後のタスク灯の消し忘れを確実に防止でき、省エネを達成することができる。しかも、本発明のタスク照明装置は、タスク灯で照明される机をアンビエント照明用の主照明灯で照明される空間内に設置することにより室内全体での消費電力を削減して省エネを図ろうとするものであり、タスク灯の消し忘れを防止することにより省エネをより効果的に実現することができる。
【００５２】
請求項３記載の発明によれば、請求項１又は２記載のタスク照明装置において、前記カードリーダは、前記ＩＤカードに書き込まれているＩＤ番号を読み取る読取手段を有し、前記制御手段は、ＩＤ番号とＩＤ番号に応じた前記タスク灯の点灯パターンとを定めた点灯制御データを格納したデータテーブルを有し、前記カードリーダから送信されたＩＤ番号と同じＩＤ番号をもつ点灯制御データの点灯パターンで前記タスク灯を点灯させるので、各作業者ごとに予め設定されている点灯パターンでタスク灯を点灯させることができ、各作業者に対して最適な照明環境を提供できる。
【００５３】
請求項４記載の発明によれば、請求項１又は２記載のタスク照明装置において、前記カードリーダは、前記ＩＤカードに書き込まれているＩＤ番号を読み取る読取手段を有し、前記制御手段は、ＩＤ番号とＩＤ番号に応じた前記タスク灯の点灯パターンとを定めた点灯制御データを格納したデータテーブルを有するデータベースに接続され、前記カードリーダから送信されたＩＤ番号と同じＩＤ番号をもつ点灯制御データの点灯パターンで前記タスク灯を点灯させるので、各作業者ごとに予め設定された点灯パターンでタスク灯を点灯させることができ、各作業者に対して最適な照明環境を提供することができ、しかも、このデータテーブルは、制御手段が接続されているデータベースに設けられているので、作業者がどの机の上で作業する場合でも、その机に設けられているカードリーダでＩＤカードの読み取りを行うことにより、各作業者ごとに予め設定した点灯パターンでタスク灯を点灯させることができる。
【００５４】
請求項５記載の発明は、請求項１ないし４のタスク照明装置において、前記タスク灯は、複数のＬＥＤからなるので、ＬＥＤは消費電力が少ないために省エネ効果を高めることができ、また、各作業者に応じた点灯パターンを設定する場合にその点灯パターンの設定の自由度を高めることができる。
【図面の簡単な説明】
【図１】本発明の第一の実施の形態のタスク照明装置の全体構成を示す概略図である。
【図２】タスク灯の照明部を示す平面図である。
【図３】タスク照明装置の電気的接続を示すブロック図である。
【図４】データテーブルの説明図である。
【図５】タスク灯の点灯・消灯制御について説明するフローチャートである。
【図６】本発明の第二の実施の形態のタスク照明装置の全体構成を示す概略図である。
【図７】複数のパソコンをＬＡＮで接続する場合の接続構造の変形例を示す概略図である。
【符号の説明】
１：机、２：制御手段、３：カードリーダ、４：タスク灯、４ｃ：ＬＥＤ、５：ＩＤカード、１３：データテーブル、２２：データベース、２３：データテーブル
【図１】
2004265648.tif 000003
【図２】
2004265648.tif 000004
【図３】
2004265648.tif 000005
【図４】
2004265648.tif 000006
【図５】
2004265648.tif 000007
【図６】
2004265648.tif 000008
【図７】
2004265648.tif 000009